(57)【要約】      （修正有）【課題】体に合わない枕の使用による頚椎の変位に由来する肩こり、枕から頭部が離れる事などによる肩こりや寝違えを予防する枕を提供する。【解決手段】枕本体１を半円弧状若しくはＵ字型に形成し、枕本体１の底面に当たる部分と、側面に当たる部分の厚みに差をつける事により、仰向け時と横向け時のそれぞれで頭部を乗せた時に高低差が発生する頭部にフィットする形状の、肩こり、寝違え予防枕を使用し、仰向け、横向きのどちらでも頚椎の理想的なラインを形成すると共に、枕から頭部が離れないようにし、肩こり、寝違えを予防する。枕の高さは、枕内部のゴム袋へのポンプ４ａ、４ｂ、４ｃによる空気の出し入れで、ゴム袋の容積を変化させる事により微調整できる。【選択図】図１
0003182029.tif 000002
【実用新案登録請求の範囲】
【請求項１】
枕本体が半円弧状若しくはＵ字型に形成されてなることを特徴とする肩こり寝違え予防枕。
【請求項２】
上記枕本体が少なくとも１つ以上の伸縮自在な区画部から構成されることを特徴とする請求項１に記載の肩こり寝違え予防枕。
【請求項３】
上記伸縮自在な区画部に伸縮調整機構を有することを特徴とする請求項２に記載の肩こり寝違え予防枕。
【考案の詳細な説明】
【技術分野】
【０００１】  本考案は、仰向け、横向きのどちらでの就寝体位においても、頚椎への負担が最小限で頭部から離れない、肩こり寝違えの予防をする枕に関する。
【背景技術】  従来の枕には、枕の高さに高低を設け、仰向け、横向きの両就寝体位における、頚椎への負担を軽減するものがある。【０００２】
【先行技術文献】
【特許文献】
【０００３】
【特許文献１】特開平１０−１１７９０６号公開公報
【０００４】
【特許文献２】特開２００５−３２３６３３号公開公報
【考案の概要】
【考案が解決しようとする課題】
【０００５】  仰向けでの就寝時に、頚椎の自然なカーブを形成するための枕の高さに比べて横向けでの就寝時に、頚椎が脊椎全体として真っ直ぐなラインを形成するには、床から頭部までの距離が肩の幅の分あるため、仰向け時より横向け時の方が、枕の高さがなければならない。
そのため理想的には、仰向け時と横向き時には、それぞれ高さの違う２種類の枕が必要となる。
これに対し、１つの枕に高低の差を設けた上に、どちらの体位でも頭部にフィットし、頭部から離れない頚椎への負担を最小限に抑える枕を提供する。
【課題を解決するための手段】
【０００６】  本考案は、枕本体が半円弧状若しくはＵ字型に形成されてなることを特徴とし、枕本体が少なくとも１つ以上の伸縮自在な区画部から構成され、かつ、区画部に伸縮調整機構を有する肩こり寝違え予防枕である。
半円弧状若しくはＵ字型をした枕を用意し、枕の底面に当たる部分は、仰向け時に頭部を乗せるため、頚椎が自然なカーブを形成する程度の厚さにし、横向時に頭部を乗せる枕の側面に当たる部分は、肩の幅がある分、底面に当たる部分より厚みをもたせる事を特徴とする枕である。枕の内部は、底面部分１つ、側面部分２つの、計３つの伸縮性のある例えば、ゴム製の袋により構成される。ゴム袋には、血圧計などに使用するエアポンプにより、空気を出し入れし、それぞれのゴム袋の容積を変化させ、仰向け時、横向け時のそれぞれにおいて、使用者がオーダーメイドしたような枕の高さに微調整する。
頭部は、枕本体の半円弧状若しくはＵ字型の凹んだ部分に落着き、密着するため、寝返りを打つ時に、枕が頭部と共に回転し、仰向け時、横向け時のどちらでも部が枕から落ちることがない。
【考案の効果】
【０００７】  上記構成の枕を使用する事により、仰向け時でも、横向け時でも、頭部に密着した理想的な高さの枕が獲得できる。
結果、就寝時の頚椎が、最も自然な形状となり、頚椎の変位に由来する肩こりの改善が期待できる。
また、仰向け時、横向け時のどちらに体位を変えても、枕が頭部と共に回転し頭部から離れる事がないので、枕から頭部が落ちることなどによる寝違えを防止できる。
【図面の簡単な説明】
【０００８】
【図１】本考案に係わる一実施例を示す肩こり寝違え予防枕の斜視図である。
【図２】図１のＡ−Ａ線矢視横断面図である。
【図３】仰向けで、肩こり寝違え予防枕を使用している様子を示す説明図である。
【図４】横向けで、肩こり寝違え予防枕を使用している様子を示す説明図である。
【考案を実施するための形態】
【０００９】  本考案に係わる実施例を図１から図４を参照して以下説明する。
【実施例】
【００１０】  図１は、肩こり寝違え予防枕の全体像を図示した斜視図である。
図２は、肩こり寝違え予防枕の横断面図である。枕本体１の内部は、Ｕ字型の凹部２が、Ｕ字型の底面に当たる部分が１つ、Ｕ字型の側面に当たる部分が２つの、合計３つのゴム袋３の伸縮自在な区画部により構成されている。本実施例では、３つの区画部の事例であったが、必要に応じて１つ以上とし、製作コストを削減してもよい。ゴム袋３には、それぞれ、血圧計等に使用されているエアポンプ４を装着し、伸縮自在な区画部（ゴム袋）３内の空気を出し入れして、ゴム袋３の容積を変化させる事により、枕本体１の高さを微調整する。枕本体１の底面、側面のそれぞれの外側は平面にし、それぞれが床に接触した時に安定するようにし、本体１の底面と側面の移行部は、枕の使用者が寝返りを打つ際に、枕がスムースに回転するようにカーブを設けた。また、図示は省略したが、枕本体１の周囲には、竹の様な弾力性のある素材のフレームを装着し、枕本体１に使用者の頭部６をのせた時に、枕本体１の形状が大きく変化するのを防いだり、竹の様な肌触りをかもしだしたり、ゴム袋３の内部を空気に替えて、水やゲル、または、空気と水、空気とゲルの混合物で充填し、寝心地のよさを追求することもできる。
図３は、枕の使用者が仰向けで、肩こり、寝違え予防枕を使用している様子を示している。枕の高さは、枕の使用者が使用者が一番しっくり来る高さに、一度、逆止弁が付いたエアポンプ４によりエアホース５を通して空気を枕内部の伸縮自在な区画部（ゴム袋）３に出し入れし微調整すれば、それ以降は調整の必要がなく、繰り返しベストな高さに設定された枕を使用できる。
図４は、図３の状態から９０度横に寝返りを打った横向きで寝た体位で、肩こり、寝違え予防枕を使用している様子を示している。この場合も、枕の高さは、頚椎が脊椎全体として真っ直ぐなラインとなるように、微調整してある。
【産業上の利用可能性】
【００１１】  本考案は、枕が体に合わない事による頚椎の変位による肩こり、頭部が枕から落ちるなどの不適切な枕の使用による寝違えに悩む人は多いため、肩こり寝違え予防枕は需要が見込まれ、産業上の利用可能性が高いと思われる。また、本考案に係る肩こり寝違え予防枕は、腰痛の防止を目的として椅子にクッションとして用いることもできる。
【符号の説明】
【００１２】１・・・枕本体（半円弧状若しくはＵ字型）
２・・・Ｕ字型の凹部
３・・・伸縮自在な区画部（ゴム袋）
４・・・伸縮調整機構（エアポンプ）
５・・・エアホース
６・・・使用者の頭部
【図１】
0003182029.tif 000003
【図２】
0003182029.tif 000004
【図３】
0003182029.tif 000005
【図４】
0003182029.tif 000006
【手続補正書】
【提出日】平成24年8月7日(2012.8.7)
【手続補正１】
【補正対象書類名】実用新案登録請求の範囲
【補正対象項目名】全文
【補正方法】変更
【補正の内容】
【実用新案登録請求の範囲】
【請求項１】
枕本体が半円弧状若しくはＵ字型に形成されてなることを特徴とする肩こり寝違え予防枕。
【請求項２】
上記枕本体が少なくとも１つ以上の伸縮自在な区画部から構成されることを特徴とする請求項１に記載の肩こり寝違え予防枕。
【請求項３】
上記伸縮自在な区画部に伸縮調整機構→エアポンプを有することを特徴とする請求項２に記載の肩こり寝違え予防枕。
【手続補正書】
【提出日】平成24年10月19日(2012.10.19)
【手続補正１】
【補正対象書類名】実用新案登録請求の範囲
【補正対象項目名】全文
【補正方法】変更
【補正の内容】
【実用新案登録請求の範囲】
【請求項１】
枕本体が半円弧状若しくはＵ字型に形成されてなることを特徴とする肩こり寝違え予防枕。
【請求項２】
上記枕本体が少なくとも１つ以上の伸縮自在な区画部から構成されることを特徴とする請求項１に記載の肩こり寝違え予防枕。
【請求項３】
上記伸縮自在な区画部にエアホースを通じて空気を送り込むエアポンプを有することを特徴とする請求項２に記載の肩こり寝違え予防枕。